(57)【要約】【課題】転写ベルトを交換することなく長期の使用においても寄り規制部材が破損、剥離することのない転写装置及びスムーズな転写ベルトの回転により転写ずれ、色ずれの画像乱れのない画像形成装置を提供するものである。【解決手段】感光体１１上に形成されたトナー像を記録部材１００に転写する転写装置６であって、転写ベルト５０上を搬送される記録部材１００に直接転写又は転写ベルト上に１次転写し、その後記録部材１００に２次転写する転写装置６において、転写ベルト５０の内面の両端部に寄り規制部材５１を設け、転写ベルト５０内のローラ６１〜６８端面又はローラと同軸で回転する寄り規制コロの端面に当て、かつ、寄り規制部材５１は、両端部の突合せ部５２が面取りされて、面取り部５３を有する転写装置６及びこの転写装置６を備える画像形成装置である。【選択図】      図２
2004184697.tif 000002
【特許請求の範囲】
【請求項１】
像担持体上に形成されたトナー像を記録部材に転写する転写装置であって、転写ベルト上を搬送される記録部材に直接転写又は転写ベルト上に１次転写し、その後記録部材に２次転写する転写装置において、
前記転写装置は、転写ベルトの内面の両端部に寄り規制部材を設け、転写ベルト内のローラ端面又はローラと同軸で回転する寄り規制コロの端面に当て、かつ、
前記寄り規制部材は、両端部の突合せ部が面取りされている
ことを特徴とする転写装置。
【請求項２】
請求項１に記載の転写装置において、
前記寄り規制部材は、少なくともローラ端面又はローラと同軸で回転する寄り規制コロの端面に当たる両端部の突合せ部の面取り部が、曲線である
ことを特徴とする転写装置。
【請求項３】
請求項２に記載の転写装置において、
前記寄り規制部材は、少なくともローラ端面又はローラと同軸で回転する寄り規制コロの端面に当たる両端部の突合せ部の面取り部が、転写ベルト走行方向に平行な面に対する曲率Ｒが寄り規制部材の幅の半分Ｌ／２より小さい
ことを特徴とする転写装置。
【請求項４】
請求項１に記載の転写装置において、
前記寄り規制部材は、少なくともローラ端面又はローラと同軸で回転する寄り規制コロの端面に当たる両端部の突合せ部の面取り部が、直線である
ことを特徴とする転写装置。
【請求項５】
請求項４に記載の転写装置において、
前記寄り規制部材は、転写ベルト走行方向に平行な面に対する直線の角度θが４５°以上である
ことを特徴とする転写装置。
【請求項６】
請求項５に記載の転写装置において、
前記寄り規制部材は、両端部の突合せ部の幅Ｗが、寄り規制部材の幅の半分Ｌ／２より大きい
ことを特徴とする転写装置。
【請求項７】
請求項１ないし６のいずれかに記載の転写装置において、
前記寄り規制部材は、転写ベルト両端にあるそれぞれの突合せ部が、転写ベルトの走行方向に対して、異なる位置にある
ことを特徴とする転写装置。
【請求項８】
請求項７に記載の転写装置において、
前記寄り規制部材は、転写ベルト両端にあるそれぞれの突合せ部が、転写ベルト内にあるローラ又は寄り規制コロに対して、異なるタイミングで接触する
ことを特徴とする転写装置。
【請求項９】
静電潜像を形成する像担持体と像担持体上にトナー像を形成する現像装置とを少なくとも配設する複数の画像形成ユニットと、
トナー像を記録部材に転写するために、トナー像を転写ベルトにより搬送される記録部材に直接転写するか、または、転写ベルト上に１次転写した後記録部材に２次転写する転写装置と、
トナー像を記録部材に定着する定着装置と  を有する画像形成装置において、
前記転写装置は、転写ベルトの内面の両端部に寄り規制部材を設け、転写ベルト内のローラ端面又はローラと同軸で回転する寄り規制コロの端面に当て、かつ、前記寄り規制部材は、帯状で、両端部の突合せ部が面取りされている
ことを特徴とする画像形成装置。
【請求項１０】
請求項９に記載の画像形成装置において、
前記転写装置は、請求項２ないし８のいずれかに記載の転写装置である
ことを特徴とする画像形成装置。
【発明の詳細な説明】
【０００１】
【発明の属する技術分野】
本発明は、像担持体との間のニップ部で転写材を挾持搬送して像担持体上に形成されたトナー像を転写材に静電的に転写させる転写ベルト又は中間転写ベルトを用いた転写装置及び転写装置を備える画像形成装置に関するものである。
【０００２】
【従来の技術】
複写機等の電子写真方式の画像形成装置においては、像担持体である感光体を帯電した後、露光装置により原稿像を直接露光するか、あるいはレーザ走査光学系やＬＥＤ光書込光学系等により画像信号に応じた光書き込みを行ない、感光体上に静電潜像を形成し、該潜像を現像装置のトナーにより現像して顕像化し、このトナー像を転写材に転写する。そして転写後の転写材を定着装置に搬送し、定着装置でトナー像を定着して画像を得ている。このような画像形成装置において、トナー像を転写材に転写させ、且つ転写後の転写材を感光体から分離し、定着装置に搬送する装置として、転写ベルト又は中間転写ベルトを用いた転写装置が知られている。転写装置の転写ベルトは、弾性部材からなる無端状ベルトであり、駆動ローラ、従動ローラ、転写バイアス印加用バイアスローラ等の複数のローラに張架されて感光体に対向配置され、感光体との間のニップ部で転写材を挾持搬送して感光体上に形成されたトナー像を転写材に静電的に転写させ、転写後の転写材を感光体から分離して定着装置に向けて搬送する。
【０００３】
しかし、転写ベルトは、転写ベルト自身の厚さの変動、両端の長さの違い、又は、駆動ローラ等の傾き、直径の変動等により斜行して、いずれかの方向に寄ることがある。転写ベルトを均一の厚さ、長さにし、さらに、駆動ローラ等の駆動系を左右の寄りのない均一な駆動を行うことは非常に困難である。このために、転写部材に対するトナー画像がずれたり、転写ベルトに傷をつけたりすることがある。中間転写ベルト、ベルト状感光体でも同様の問題がある。
したがって、転写ベルト、中間転写ベルト等のベルト部材の寄りを防ぐために、例えば、ベルトの寄りを電気的に検知し、ローラ部材の片側端部をソレノイド又はステッピングモータ等で正規の位置へ戻す転写装置（例えば、特許文献１を参照）、ベルトを保持するローラ部材の形状をクラウン形状にする転写装置（例えば、特許文献２、特許文献３等を参照）等が上げられる。特に、例えば、ベルト両端に寄り規制部材を設ける転写装置が、構造が簡単であり広く用いられている（例えば、特許文献４、特許文献５を参照）。
【０００４】
【特許文献１】
特開平２００１−０８０７８２号公報
【特許文献２】
特開平９−２０８０７６号公報
【特許文献３】
特開平１０−２０７１６号公報
【特許文献４】
特開平９−２３０７４５号公報
【特許文献５】
特開２００２−２６８４５５号公報
【０００５】
【発明が解決しようとする課題】
しかしながら、これらの寄り防止機構を備える転写装置では、転写ベルトの両端に、突合せ部分のない寄り規制部材を設けることは成型が困難であり、また、製造コストが高くなるという問題点がある。そのために、寄り規制部材を転写ベルト両端に貼着して設ける転写装置では、製造コストが低いが、寄り規制部材に突合せ部分が生じ、この突合せ部分がローラ端面あるいは寄り規制コロに接触する際の衝撃によって、転写ベルトの走行性が不安定になり速度むらが生じ、さらに、転写ベルト上での色重ね精度が低下し、色ずれが生ずるという問題点がある。
また、この突合せ部の衝撃によって、突合せ部の剥離が生じ、転写ベルトを早期に交換しなければならないという問題点がある。
【０００６】
そこで、本発明は上記事情に鑑みなされたものであって、その課題は、転写ベルトを交換することなく長期の使用においても寄り規制部材が破損、剥離することのない転写装置及びそれを用いて、スムーズな転写ベルトの回転により転写ずれ、色ずれの画像乱れのない画像形成装置を提供するものである。
【０００７】
【課題を解決するための手段】
上記課題を解決するために、請求項１に記載の発明は、像担持体上に形成されたトナー像を記録部材に転写する転写装置であって、転写ベルト上を搬送される記録部材に直接転写又は転写ベルト上に１次転写し、その後記録部材に２次転写する転写装置において、前記転写装置は、転写ベルトの内面の両端部に寄り規制部材を設け、転写ベルト内のローラ端面又はローラと同軸で回転する寄り規制コロの端面に当て、かつ、前記寄り規制部材は、両端部の突合せ部が面取りされている転写装置である。
請求項２に記載の発明は、請求項１に記載の転写装置において、前記寄り規制部材は、少なくともローラ端面又はローラと同軸で回転する寄り規制コロの端面に当たる両端部の突合せ部の面取り部が、曲線である転写装置である。
請求項３に記載の発明は、請求項２に記載の転写装置において、前記寄り規制部材は、少なくともローラ端面又はローラと同軸で回転する寄り規制コロの端面に当たる両端部の突合せ部の面取り部が、転写ベルト走行方向に平行な面に対する曲率Ｒが寄り規制部材の幅の半分Ｌ／２より小さい転写装置である。
請求項４に記載の発明は、請求項１に記載の転写装置において、前記寄り規制部材は、少なくともローラ端面又はローラと同軸で回転する寄り規制コロの端面に当たる両端部の突合せ部の面取り部が、直線である転写装置である。
請求項５に記載の発明は、請求項４に記載の転写装置において、前記寄り規制部材は、転写ベルト走行方向に平行な面に対する直線の角度θが４５°以上である転写装置である。
請求項６に記載の発明は、請求項２ないし５のいずれかに記載の転写装置において、前記寄り規制部材は、両端部の突合せ部の幅Ｗが、寄り規制部材の幅の半分Ｌ／２より大きい転写装置である。
【０００８】
請求項７に記載の発明は、請求項１ないし６のいずれかに記載の転写装置において、前記寄り規制部材は、転写ベルト両端にあるそれぞれの突合せ部が、転写ベルトの走行方向に対して、異なる位置にある転写装置である。
請求項８に記載の発明は、請求項７に記載の転写装置において、前記寄り規制部材は、転写ベルト両端にあるそれぞれの突合せ部が、転写ベルト内にあるローラ又は寄り規制コロに対して、異なるタイミングで接触する転写装置である。
【０００９】
請求項９に記載の発明は、静電潜像を形成する像担持体と像担持体上にトナー像を形成する現像装置とを少なくとも配設する複数の画像形成ユニットと、トナー像を記録部材に転写するために、トナー像を転写ベルトにより搬送される記録部材に直接転写するか、または、転写ベルト上に１次転写した後記録部材に２次転写する転写装置と、トナー像を記録部材に定着する定着装置と  を有する画像形成装置において、前記転写装置は、前記転写装置は、転写ベルトの内面の両端部に寄り規制部材を設け、転写ベルト内のローラ端面又はローラと同軸で回転する寄り規制コロの端面に当て、かつ、前記寄り規制部材は、帯状で、両端部の突合せ部が面取りされている転写装置である。
請求項１０に記載の発明は、請求項９に記載の画像形成装置において、前記転写装置は、請求項２ないし８のいずれかに記載の転写装置である転写装置である。
【００１０】
【発明の実施の形態】
以下に、本発明の実施の形態について図面に基づいて説明する。
図１は、本発明の一実施形態である転写装置の構成を示す概略図である。転写装置６は、イエロー（Ｙ）、マゼンタ（Ｍ）、シアン（Ｃ）、ブラック（Ｋ）の各トナー像が形成される像担持体としての感光体ドラム１１Ｙ、１１Ｍ、１１Ｃ、１１Ｋを並列して備える、いわゆるタンデム方式の画像形成装置の転写装置である。これら感光体ドラム１１Ｙ、１１Ｍ、１１Ｃ、１１Ｋに接触し、記録部材１００を搬送してその記録部材１００上に各トナー像を転写する転写ベルト５０が備えられている。転写ベルト５０は、体積抵抗率が１０９〜１０１１Ωｃｍである高抵抗の無端状単層ベルトであり、その材質はＰＶＤＦ（ポリフッ化ビニリデン）等を用いることができる。
この転写ベルト５０は、駆動ローラ６３、支持ローラ６１、６２、６５、６６に掛け回され、ベルトループを形成している。駆動ローラ６３は、図示しない駆動源に接続されていて矢印方向に回転し、転写ベルト５０を摩擦駆動する。また、転写ベルト５０の走行方向で駆動ローラ６３より下流側に、転写ベルト５０の外周面に接触して、該ベルトをベルトループ内側に湾曲させる湾曲ローラ６４を備える。湾曲ローラ６４の設置により、駆動ローラ６３のベルト巻き付け量を増加させて、駆動ローラ６３の駆動力伝達を確実にしている。また、湾曲ローラ６４より更に下流側のベルトループ内に、押圧部材６９でベルトの張力を調整するテンションローラ６５を備えている。
【００１１】
記録部材入口ローラとしての支持ローラ６１には、電源８０ａから所定電圧が印加された静電吸着ローラ８０が対向するように転写ベルト５０の外周面に配置されている。支持ローラ６１と静電吸着ローラ８０の間を通過する記録部材１００は、転写ベルト５０上に静電吸着されて搬送される。
各感光体ドラム１１Ｙ、１１Ｍ、１１Ｃ、１１Ｋに対向する位置には、転写ベルト５０の内周面に接触するように、転写バイアス印加部材６７Ｙ、６７Ｍ、６７Ｃ、６７Ｋが設けられている。転写バイアス印加部材６７はスポンジ等を外周に設けたバイアスローラであり、各転写バイアス電源９Ｙ、９Ｍ、９Ｃ、９Ｋからローラ芯金に転写バイアスが印加される。この印加された転写バイアスの作用により、転写ベルト５０に転写電荷が付与され、各転写部において転写ベルト５０と感光体ドラム１１表面との間に所定強度の転写電界が形成される。また、上記転写が行われる領域での記録部材１００と感光体ドラム１１の接触を適切に保ち、最良の転写ニップを得るために、バックアップローラ６８を備えている。
【００１２】
支持ローラ６２は、トナー像が転写された記録部材１００が転写ベルト５０から分離されて次行程へと搬送する記録部材出口ローラである。この支持ローラ６２は、導電性部材からなり、所定のバイアスが印加される構成となっている。記録部材１００が支持ローラ６２上を通過するとき、支持ローラ６２に転写バイアス印加部材６７に印加されるバイアスと同極性のバイアスを印加し、記録部材１００上にトナーを引きつけて、飛散を防ぐことができる。
【００１３】
ここで、転写ベルト５０について説明する。図２は、本発明に係る転写装置の一部を拡大して示した図である。図２に示すように、転写ベルト５０の内面の両端部に寄り規制部材５１を設け、転写ベルト５０内のローラ端面又はローラと同軸で回転する寄り規制コロの端面に当てて設けられる。両端部から挟むことによって、転写ベルト５０の一方への寄りを防止することができる。この寄り規制部材５１は、一般の熱可塑性樹脂が利用できる。具体的な代表例としては、ウレタン樹脂、ポリエステル樹脂、スチレン−アクリル樹脂、フッ素樹脂、シリコーン樹脂が挙げられる。特に、ウレタン樹脂は、強度が高く好適である。これらの樹脂フィルムを接着剤、両面に粘着剤を備えるテープを用いて固定する。
【００１４】
図３は、本発明に係る転写装置における寄り規制部材５１の突合せ部５２の形状を示す図である。図４は、従来の転写装置における寄り規制部材５１の突合せ部５２の形状を示す図である。図４（ａ）に示すように、従来は、寄り規制部材５１は両端を直角に稜角を設けていたが、転写ベルト５０が走行して、ローラ又は規制コロがこの稜角部５４に衝突すると、その衝撃によって、転写ベルト５０の走行速度が変わり、転写のずれが生じて色重ねの精度が低下する。さらに、この衝突によって寄り規制部材５１の稜角部５４が剥離すると、転写ベルト５０の寄りを規制する機能が低下する。特に、図４（ｂ）に示すように、寄り規制部材５１の両端部のうちローラ又は規制コロに接触する部分の幅が狭くなっていると、ローラ又は規制コロでの稜角部５４への衝突による衝撃は小さくなるが、寄り規制部材５１は転写ベルト５０への接着力が小さくなりより剥離しやすくなる。
【００１５】
本発明の転写装置では、寄り規制部材５１は、図３（ａ）に示すように、この突合せ部５２における寄り規制部材５１の稜角部５４を面取りして取り除き面取り部５３を設け、この面取り部５３を曲線にする。面取り部５３を曲線にすることで、ローラ又は規制コロでの稜角部５４への衝突による衝撃を小さくすることができ、また、寄り規制部材５１の接着力が低下するのを防止することができる。さらに、転写ベルト５０走行方向に平行な面に対する寄り規制部材５１の曲率Ｒが、寄り規制部材５１の幅の半分Ｌ／２より小さくする。これにより、さらに、ローラ等への衝突による衝撃を小さくすることができ、寄り規制部材５１の接着力が低下するのを防止することが、寄り規制部材５１の剥離を防ぎ、転写ベルト５０の使用期間を延ばすことができる。
【００１６】
また、本発明の転写装置では、寄り規制部材５１は、図３（ｂ）に示すように、この突合せ部５２における寄り規制部材５１の稜角部５４を面取りして取り除き面取り部５３を設け、この面取り部５３を直線にする。さらに、転写ベルト５０の走行方向に平行な面に対する直線の角度θを４５°以上にすることが好ましい。ローラ等への衝突による衝撃を小さくすることができ、寄り規制部材５１の接着力が低下するのを防止することができる。さらに、両端部の突合せ部５２の幅Ｗが、寄り規制部材５１の幅の半分Ｌ／２より大きくすることで、寄り規制部材５１の剥離を防ぎ、転写ベルト５０の使用期間を延ばすことができる。
【００１７】
本発明の転写装置における寄り規制部材５１は、図２に示すように、転写ベルト５０の両端にあるそれぞれの突合せ部５２が、転写ベルト５０の走行方向に対して、異なる位置に設ける。転写ベルト５０の走行方向に対して、転写ベルト５０の幅方向に同じ位置に存在すると、ローラ又は規制コロがこの突合せ部５２に衝突する衝撃によって、転写ベルト５０の走行速度の変動が大きくなり、転写のずれも大きくなって、色重ねの精度が低下する。さらに、この衝突によって寄り規制部材５１が剥離しやすくなり、転写ベルト５０の使用期間が短くなる。さらに、転写ベルト５０両端にあるそれぞれの突合せ部５２が、転写ベルト５０内にある複数のローラ又は寄り規制コロのそれぞれに対して、異なるタイミングで接触する。これによって、ローラ又は規制コロがこの突合せ部５２に衝突する衝撃を小さくすることができる。
【００１８】
次に、本発明に係る画像形成装置について説明する。
図５は、本発明の一実施形態である画像形成装置の構成を示す概略図である。この画像形成装置は、イエロー（Ｙ）、マゼンタ（Ｍ）、シアン（Ｃ）、ブラック（Ｋ）の各色の画像を形成するための４つの画像形成部１Ｙ、１Ｍ、１Ｃ、１Ｋを備える。画像形成部１Ｙ、１Ｍ、１Ｃ、１Ｋは、それぞれ、像担持体としての感光体ドラム１１Ｙ、１１Ｍ、１１Ｃ、１１Ｋと、帯電手段、現像手段、クリーニング手段とを備えている。また、各画像形成部１Ｙ、１Ｍ、１Ｃ、１Ｋの配置は、各感光体ドラムの回転軸が平行に、かつ、記録部材移動方向に所定のピッチで配列するように、設定されている。
画像形成部１Ｙ、１Ｍ、１Ｃ、１Ｋの上方には、光源、ポリゴンミラー、ｆ−θレンズ、反射ミラー等を備え、画像データに基づいて各感光体ドラム１１Ｙ、１１Ｍ、１１Ｃ、１１Ｋの表面にレーザ光を走査しながら照射する光書込装置２が、下方には記録部材１００を担持して各画像形成部の転写部を通過するように搬送する転写ベルト５０を有するベルト駆動装置としての転写装置６が配置されている。転写装置６の詳細の構成については、先に説明したとおりである。
【００１９】
転写装置６の側方には定着装置７、排紙トレイ８等が備えられられている。定着装置７は、内部に発熱体を有する加熱ローラと従動ローラによって張架された定着ベルトと、内部に発熱体を有する加圧ローラとからなるベルト定着方式の定着装置である。画像形成装置下部には、記録部材１００が載置された給紙カセット３、４を備えている。また、画像形成装置側面から手差しで給紙を行う手差しトレイＭＦが備えられている。
【００２０】
以下に、本画像形成装置の動作について説明する。
給紙カセット３、４あるいは手差しトレイＭＦから給送された記録部材１００は、図示しない搬送ガイドにガイドされながら搬送ローラで搬送され、レジストローラ対５が設けられている一時停止位置に送られる。このレジストローラ対５により所定のタイミングで送出された記録部材１００は、転写ベルト５０に担持され、各画像形成部１Ｙ、１Ｍ、１Ｃ、１Ｋに向けて搬送され、各転写部を通過する。各画像形成部１Ｙ、１Ｍ、１Ｃ、１Ｋの感光体ドラム１１Ｙ、１１Ｍ、１１Ｃ、１１Ｋ上で現像された各トナー像は、それぞれ各転写部で記録部材１００に重ね合わされ、上記転写電界やニップ圧の作用を受けて記録部材１００上に転写される。この重ね合わせの転写により、記録部材１００上にはフルカラートナー像が形成される。
一方、トナー像転写後の感光体ドラム１１Ｙ、１１Ｍ、１１Ｃ、１１Ｋの表面は、クリーニング装置によりクリーニングされ、更に除電されて次の静電潜像の形成に備えられる。
【００２１】
また、フルカラートナー像が形成された記録部材１００は、定着装置７でこのフルカラートナー像が定着された後、切換ガイドＧの回動姿勢に対応して、第一の排紙方向Ｂまたは第二の排紙方向Ｃに向かう。第一の排紙方向Ｂから排紙トレイ８上に排出される場合、画像面が下となった、いわゆるフェースダウンの状態でスタックされる。一方、第二の排紙方向Ｃに排出される場合には、図示していない別の後処理装置（ソータ、綴じ装置など）に向け搬送させるとか、スイッチバック部を経て両面プリントのために再度レジストローラ対５に搬送される。
【００２２】
本発明の画像形成装置が備える転写装置では、寄り規制部材の突合せ部５２の稜角を取り除く面取りをして面取り部５３を転写ベルト５０に設けることで、転写ベルト５０がローラ又は規制コロに強く衝突するのを防止して、衝撃による転写ベルト５０の走行速度の変動による転写のずれを抑え、色重ねの精度を向上させて、画像の乱れを防ぐことができる。
【００２３】
また、図６は、本発明の他の実施形態である画像形成装置の構成を示す概略図である。図６に示すように、画像形成装置である電子写真方式で、中間転写体としての中間転写ベルト５５を設ける中間転写方式によるカラー画像形成装置に適用した一つの実施形態について説明する。感光体１１Ｋ、１１Ｃ、１１Ｍ、１１Ｙの周囲の画像形成ユニットは、現像装置、クリーニング装置、帯電装置を備えており、上部には露光装置が配置されている。例えば、感光体１１Ｋ上に形成されたトナー像は中間転写ベルト５５に転写され、中間転写ベルト５５にはさらに感光体１１Ｃ、１１Ｍ、１１Ｙからトナー像が転写されて、フルカラー画像が形成される。ここでは、中間転写ベルト５５はポリフッ化ビニルデン樹脂フィルムシートで成型されたシームレスベルト（体積抵抗８×１０９Ωｃｍ）を用いて、一次転写バイアスは定電圧制御で１３００Ｖにて行なった。ベルト材料としては、ポリエチレンテレフタレート（ＰＥＴ）樹脂シートやポリイミド樹脂シートなどの誘電体樹脂製のフィルムが広く用いられている。また、ベルトの材質やその抵抗値によって適正な印加バイアス値も異なってくるのはもちろんである。
【００２４】
この感光体１から中間転写ベルト５５への一次転写プロセスは、Ｙ（イエロー）、Ｍ（マゼンタ）、Ｃ（シアン）、Ｋ（黒）の各色それぞれについて行なわれ、中間転写ベルト５５上で色重ね画像が形成され、転写部にて記録部材１００上に転写される。図６では、転写部として搬送ベルトを兼ねた転写ベルト５０を示したが、ベルトの代わりにローラなどを用いても２次転写することは可能である。ここで、図６に示すように、中間転写ベルト５５の内側に、寄り規制部材５１を設ける。これによって、中間転写ベルト５５の片寄りの斜行を防止して、かつ、ローラ等との接触による走行速度の変動を抑えることで、転写ずれ・色ずれの発生を防止して、高品位のカラー画像を得ることができる。
また、中間転写ベルト５５が、ローラ等に接触することで破損したり、寄り規制部材５１が剥離するのを防止することで、中間転写ベルト５５の使用期間を延ばすことができる。なお、中間転写ベルト５５を用いる場合であっても、転写ベルト５０を用いることがあり、この転写ベルト５０に寄り規制部材５１を用いることで、転写ベルトの走行速度の変動を抑えて、転写のずれを抑え、色重ねの精度を向上させて、画像の乱れを防ぐことができる。
【００２５】
【発明の効果】
以上説明したように、本発明の転写装置では、転写ベルトのローラ又は規制コロへの衝突による衝撃を小さくすることができ、転写ベルトの走行速度変動を少なくして、転写ずれの発生を防止している。さらに、ローラ等が寄り規制部材に衝撃を与えるのを防止することで、寄り規制部材が転写ベルトから剥離するのを抑えて、転写ベルトの使用期間を延ばすことができる。
また、本発明の画像形成装置では、転写ベルト又は中間転写ベルトの走行速度の変動を抑えて、転写のずれを抑え、色重ねの精度を向上させて、画像の乱れを防ぐことができる。
【図面の簡単な説明】
【図１】本発明の一実施形態である転写装置の構成を示す概略図である。
【図２】本発明に係る転写装置の一部を拡大して示した図である。
【図３】本発明に係る転写装置における寄り規制部材の突合せ部の形状を示す図である。
【図４】従来の転写装置における寄り規制部材の突合せ部の形状を示す図である。
【図５】本発明の一実施形態である画像形成装置の構成を示す概略図である。
【図６】本発明の他の実施形態である画像形成装置の構成を示す概略図である。
【符号の説明】
１  画像形成ユニット
１Ｙ、１Ｍ、１Ｃ、１Ｋ  画像形成ユニット
２  露光装置
３、４  給紙カセット
５  レジストローラ対
６  転写装置
７  定着装置
８  排紙トレイ
９  転写バイアス電源
１１  感光体
１１Ｙ、１１Ｍ、１１Ｃ、１１Ｋ  感光体
５０  転写ベルト
５１  寄り規制部材
５２  突合せ部
５３  面取り部
５４  稜角部
５５  中間転写ベルト
６１〜６８  支持ローラ
８０  静電吸着ローラ
８０ａ  電源
１００  記録部材
Ａ  ベルト走行方向
Ｂ  第１の排紙方向
Ｃ  第２の排紙方向
Ｇ  切換ガイド
【図１】
2004184697.tif 000003
【図２】
2004184697.tif 000004
【図３】
2004184697.tif 000005
【図４】
2004184697.tif 000006
【図５】
2004184697.tif 000007
【図６】
2004184697.tif 000008